【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
遊技盤を梱包する方法であって、
一又は複数の遊技盤を未封緘の梱包箱に収容する収容工程と、
前記梱包箱に前記遊技盤の発送に関する発送情報を印刷する印刷工程と、
前記遊技盤が収容された梱包箱の蓋を封緘する封緘工程と、
前記遊技盤が収容され且つ封緘された梱包箱の外周の少なくとも一部を熱可塑性シートで被包する被包工程と、
前記梱包箱を被包する前記熱可塑性シートに熱処理を施す熱処理工程と
を備え、
前記被包工程は、前記梱包箱の発送情報印刷面を覆うように前記熱収縮性シートで前記梱包箱を被包することを特徴とする遊技盤梱包方法。
【請求項２】
前記発送情報は、前記梱包箱に収容された遊技盤の納品先名、納品先住所、遊技盤に貼付けられた証紙の管理番号、機種名、枚数のいずれか又はこれらの組合わせであることを特徴とする請求項１に記載の遊技盤梱包方法。
【請求項３】
遊技盤を梱包するシステムであって、
梱包箱に前記遊技盤の発送に関する発送情報を印刷する印刷装置と、
前記遊技盤が収容され且つ蓋が封緘された前記梱包箱の外周の少なくとも一部を熱可塑性シートで被包する被包装置と、
前記梱包箱を被包する前記熱可塑性シートに熱処理を施す熱処理装置と
を備え、
前記被包装置は、前記梱包箱の発送情報印刷面を覆うように前記熱収縮性シートで前記梱包箱を被包することを特徴とする遊技盤梱包システム。
【請求項４】
前記発送情報は、前記梱包箱に収容された遊技盤の納品先名、納品先住所、遊技盤に貼付けられた証紙の管理番号、機種名、枚数のいずれか又はこれらの組合わせであることを特徴とする請求項３に記載の遊技盤梱包システム。
【手続補正２】
【補正対象書類名】明細書
【補正対象項目名】０００４
【補正方法】変更
【補正の内容】
【０００４】
以下、上記課題を解決するのに適した各手段につき、必要に応じて作用効果等を付記しつつ説明する。
１．遊技盤を梱包する方法であって、
一又は複数の遊技盤を未封緘の梱包箱に収容する収容工程と、
前記梱包箱に前記遊技盤の発送に関する発送情報を印刷する印刷工程と、
前記遊技盤が収容された梱包箱の蓋を封緘する封緘工程と、
前記遊技盤が収容され且つ封緘された梱包箱の外周の少なくとも一部を熱可塑性シートで被包する被包工程と、
前記梱包箱を被包する前記熱可塑性シートに熱処理を施す熱処理工程と
を備え、
前記被包工程は、前記梱包箱の発送情報印刷面を覆うように前記熱収縮性シートで前記梱包箱を被包することを特徴とする遊技盤梱包方法。
手段１によれば、収容工程で一又は複数の遊技盤を未封緘の梱包箱（例えば、段ボール箱）に収容し、印刷工程で梱包箱に遊技盤の発送に関する発送情報を印刷し、封緘工程で遊技盤が収容された梱包箱の蓋を封緘し、被包工程で遊技盤が収容され且つ封緘された梱包箱の外周の少なくとも一部を梱包箱の発送情報印刷面を覆うように熱可塑性シートで被包し、熱処理工程で梱包箱を被包する熱可塑性シートに熱処理を施すので、熱可塑性シートが熱収縮して梱包箱に密着する。熱処理の終了後、熱可塑性シートが常温で冷却されて硬化するので、熱可塑性シートが梱包箱に強固に密着する状態が保たれる。
【手続補正３】
【補正対象書類名】明細書
【補正対象項目名】０００５
【補正方法】変更
【補正の内容】
【０００５】
そして、手段１により梱包された遊技盤を収容する梱包箱は、熱可塑性シートによって密着状に包まれているため、不正改造の発見がより確実であると共に、不正改造の未然防止を図ることができる。すなわち、メイン基板等の遊技盤の制御を行う部分に不正改造を行うためには、まず熱可塑性シートを切断・開封し、さらに梱包箱を開封する必要がある。このため、不正な改造が行われた場合には、梱包箱を被包する熱可塑性シートが開封されていることから、不正改造を確実に感知することができる。また、熱可塑性シートを一旦、切断・開封してから使用済みの熱可塑性シートを用いて梱包箱を元通りの状態となるように被包することは極めて困難であり、不正改造を試みようとする者の意欲を減退させて、不正改造を未然に防止する効果が発揮されることも期待される。また、印刷工程で梱包箱に印刷された発送情報を視認して保管・出荷作業を行うことができる。特に、被包工程において梱包箱の発送情報印刷面を覆うように熱収縮性シートで梱包箱を被包するので、梱包箱の発送情報印刷面が熱可塑性シートによって覆われることによって保護され、発送情報の印刷が薄くなったり消えたりすることを防止することができる。
【手続補正４】
【補正対象書類名】明細書
【補正対象項目名】０００６
【補正方法】変更
【補正の内容】
【０００６】
２．前記発送情報は、前記梱包箱に収容された遊技盤の納品先名、納品先住所、遊技盤に貼付けられた証紙の管理番号、機種名、枚数のいずれか又はこれらの組合わせであることを特徴とする手段１に記載の遊技盤梱包方法。
手段２によれば、梱包箱に印刷された発送情報、すなわち、収容された遊技盤の納品先名、納品先住所、遊技盤に貼付けられた証紙の管理番号、機種名、枚数のいずれか又はこれらの組合わせを視認して保管・出荷作業を行うことができる。
【手続補正５】
【補正対象書類名】明細書
【補正対象項目名】０００７
【補正方法】変更
【補正の内容】
【０００７】
３．前記熱可塑性シートは、前記梱包箱よりも幅広であり、
前記被包工程は、前記熱可塑性シートの一部が前記梱包箱の周縁からはみ出すように前記梱包箱を被包することを特徴とする手段１又は２に記載の遊技盤梱包方法。
手段３によれば、被包工程で、梱包箱よりも幅広の記熱可塑性シートの一部が梱包箱の周縁からはみ出すように梱包箱を被包し、熱処理工程で、熱可塑性シートのはみ出した部分が熱処理によって収縮して梱包箱の側面に強固に密着する。よって、熱可塑性シートを切断することなく梱包箱から取り外すことは不可能となり、より確実に不正改造発見の容易化及び不正改造の未然防止を図ることができる。
【手続補正６】
【補正対象書類名】明細書
【補正対象項目名】０００８
【補正方法】変更
【補正の内容】
【０００８】
４．前記熱処理工程における熱処理温度は１００℃〜２００℃であることを特徴とする手段１乃至３のいずれかに記載の遊技盤梱包方法。
手段４によれば、熱処理工程における熱処理温度は１００℃〜２００℃であるので、熱可塑性シートを確実に熱収縮させることができると共に、梱包箱に収容された遊技盤に悪影響を与えることがない。
【手続補正７】
【補正対象書類名】明細書
【補正対象項目名】０００９
【補正方法】変更
【補正の内容】
【０００９】
５．前記熱処理工程は、熱処理の実施直後に前記梱包箱を強制的に冷却することを特徴とする手段１乃至４のいずれかに記載の遊技盤梱包方法。
手段５によれば、熱処理の実施直後に梱包箱を強制的に冷却するので、熱収縮した熱可塑性シートが短時間で硬化させることができ、後工程の作業（例えば、バンドによる結束）を直ちに実施することができる。
【手続補正８】
【補正対象書類名】明細書
【補正対象項目名】００１０
【補正方法】変更
【補正の内容】
【００１０】
６．前記熱処理工程が終了した前記梱包箱の外周をバンドで結束する結束工程を更に備えたことを特徴とする手段１乃至５のいずれかに記載の遊技盤梱包方法。
手段６によれば、結束工程において、熱処理工程が終了して熱可塑性シートが密着した梱包箱の外周をバンドで結束するので、バンドを切断することなく梱包箱を開封することは不可能となり、より確実に不正改造発見の容易化及び不正改造の未然防止を図ることができる。
【手続補正９】
【補正対象書類名】明細書
【補正対象項目名】００１１
【補正方法】変更
【補正の内容】
【００１１】
７．前記熱可塑性シートは、熱可塑性樹脂からなることを特徴とする手段１乃至６のいずれかに記載の遊技盤梱包方法。
手段７によれば、熱可塑性シートが熱可塑性樹脂からなるので、熱処理によって容易に収縮させ、且つ常温で冷却して硬化させることができる。
【手続補正１０】
【補正対象書類名】明細書
【補正対象項目名】００１２
【補正方法】変更
【補正の内容】
【００１２】
８．前記熱可塑性樹脂は、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであることを特徴とする手段７に記載の遊技盤梱包方法。
手段８によれば、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかの熱可塑性樹脂からなる安価な熱可塑性シートを用いて梱包箱を被包し、熱処理によって容易に収縮させ、且つ常温で冷却して硬化させることができる。
【手続補正１１】
【補正対象書類名】明細書
【補正対象項目名】００１３
【補正方法】変更
【補正の内容】
【００１３】
９．遊技盤を梱包するシステムであって、
梱包箱に前記遊技盤の発送に関する発送情報を印刷する印刷装置と、
前記遊技盤が収容され且つ蓋が封緘された前記梱包箱の外周の少なくとも一部を熱可塑性シートで被包する被包装置と、
前記梱包箱を被包する前記熱可塑性シートに熱処理を施す熱処理装置と
を備え、
前記被包装置は、前記梱包箱の発送情報印刷面を覆うように前記熱収縮性シートで前記梱包箱を被包することを特徴とする遊技盤梱包システム。
手段９によれば、印刷装置は、梱包箱に遊技盤の発送に関する発送情報を印刷し、被包装置は、遊技盤が収容され且つ蓋が封緘された梱包箱の外周の少なくとも一部を梱包箱の発送情報印刷面を覆うように熱可塑性シートで被包し、熱処理装置は、梱包箱を被包する熱可塑性シートに熱処理を施すので、熱可塑性シートが熱収縮して梱包箱に密着する。熱処理の終了後、熱可塑性シートが常温で冷却されて硬化するので、熱可塑性シートが梱包箱に強固に密着する状態が保たれる。
そして、手段９の遊技盤梱包システムによって梱包された遊技盤を収容する梱包箱は、上述した手段１の方法で梱包された梱包箱と同様の種々の効果を奏する。
【手続補正１２】
【補正対象書類名】明細書
【補正対象項目名】００１４
【補正方法】変更
【補正の内容】
【００１４】
１０．前記発送情報は、前記梱包箱に収容された遊技盤の納品先名、納品先住所、遊技盤に貼付けられた証紙の管理番号、機種名、枚数のいずれか又はこれらの組合わせであることを特徴とする手段９に記載の遊技盤梱包システム。
手段１０によれば、梱包箱に印刷された発送情報、すなわち、収容された遊技盤の納品先名、納品先住所、遊技盤に貼付けられた証紙の管理番号、機種名、枚数のいずれか又はこれらの組合わせを視認して保管・出荷作業を行うことができる。
【手続補正１３】
【補正対象書類名】明細書
【補正対象項目名】００１５
【補正方法】変更
【補正の内容】
【００１５】
１１．前記被包装置は、
前記梱包箱を搬送する搬送手段と、
前記梱包箱の外周の少なくとも一部を覆うように前記熱可塑性シートを供給するシート供給手段と、
前記熱可塑性シートに熱溶着及び切断を施す熱溶着切断手段と
を備えたことを特徴とする手段９又は１０に記載の遊技盤梱包システム。
手段１１によれば、搬送手段は、遊技盤が収容され且つ封緘された梱包箱を搬送し、シート供給手段は、梱包箱の外周の少なくとも一部を覆うように熱可塑性シートを供給する。これにより、熱可塑性シートは、梱包箱が搬送手段によって搬送されるのに伴って、梱包箱の外周に巻きつけられる。一方、熱溶着切断手段は、熱可塑性シートに熱溶着及び切断を施すことにより、当該梱包箱を被包する熱可塑性シート全体が筒状に形成されると共に、先行又は後続する他の梱包箱を被包するための熱可塑性シートから分離される。次いで、熱処理装置が、梱包箱を被包する熱可塑性シートに熱処理を施すことにより熱収縮して梱包箱に密着する。
【手続補正１４】
【補正対象書類名】明細書
【補正対象項目名】００１６
【補正方法】変更
【補正の内容】
【００１６】
１２．前記熱可塑性シートは、前記梱包箱よりも幅広であり、
前記被包装置は、前記熱可塑性シートの一部が前記梱包箱の周縁からはみ出すように前記梱包箱を被包することを特徴とする手段９乃至１１のいずれかに記載の遊技盤梱包システム。
手段１２によれば、被包装置は、梱包箱よりも幅広の記熱可塑性シートの一部が梱包箱の周縁からはみ出すように梱包箱を被包し、熱処理装置は、熱可塑性シートのはみ出した部分を熱処理によって収縮させて梱包箱の側面に強固に密着させる。よって、熱可塑性シートを切断することなく梱包箱から取り外すことは不可能となり、より確実に不正改造発見の容易化及び不正改造の未然防止を図ることができる。
【手続補正１５】
【補正対象書類名】明細書
【補正対象項目名】００１７
【補正方法】変更
【補正の内容】
【００１７】
１３．前記熱処理装置は、１００℃〜２００℃で熱処理を施すことを特徴とする手段９乃至１２のいずれかに記載の遊技盤梱包システム。
手段１３によれば、熱処理装置における熱処理温度は１００℃〜２００℃であるので、熱可塑性シートを確実に熱収縮させることができると共に、梱包箱に収容された遊技盤に悪影響を与えることがない。
【手続補正１６】
【補正対象書類名】明細書
【補正対象項目名】００１８
【補正方法】変更
【補正の内容】
【００１８】
１４．前記熱処理装置は、熱処理の実施直後に前記梱包箱を強制的に冷却する冷却手段を備えたことを特徴とする手段９乃至１３のいずれかに記載の遊技盤梱包システム。
手段１４によれば、冷却手段が、熱処理の実施直後に梱包箱を強制的に冷却するので、熱収縮した熱可塑性シートを短時間で硬化させることができ、後工程の作業（例えば、バンドによる結束）を直ちに実施することができる。冷却手段は、例えば、梱包箱に風を吹きつけ可能な送風ファンによって構成してもよい。
【手続補正１７】
【補正対象書類名】明細書
【補正対象項目名】００１９
【補正方法】変更
【補正の内容】
【００１９】
１５．前記遊技盤が収容された未封緘の梱包箱の蓋を封緘する封緘装置を更に備えたことを特徴とする手段９乃至１４のいずれかに記載の遊技盤梱包システム。
手段１５によれば、遊技盤が収容された未封緘の梱包箱の蓋を封緘装置により自動的に封緘することができる。
【手続補正１８】
【補正対象書類名】明細書
【補正対象項目名】００２０
【補正方法】変更
【補正の内容】
【００２０】
１６．前記熱処理が施された前記梱包箱の外周をバンドで結束する結束装置を更に備えたことを特徴とする手段９乃至１５のいずれかに記載の遊技盤梱包システム。
手段１６によれば、結束装置は、熱処理が終了して熱可塑性シートが密着した梱包箱の外周をバンドで結束するので、バンドを切断することなく梱包箱を開封することは不可能となり、より確実に不正改造発見の容易化及び不正改造の未然防止を図ることができる。
【手続補正１９】
【補正対象書類名】明細書
【補正対象項目名】００２１
【補正方法】変更
【補正の内容】
【００２１】
１７．前記熱可塑性シートは、熱可塑性樹脂からなることを特徴とする手段９乃至１６のいずれかに記載の遊技盤梱包システム。
手段１７によれば、熱可塑性シートが熱可塑性樹脂からなるので、熱処理によって容易に収縮させ、且つ常温で冷却して硬化させることができる。
【手続補正２０】
【補正対象書類名】明細書
【補正対象項目名】００２２
【補正方法】変更
【補正の内容】
【００２２】
１８．前記熱可塑性樹脂は、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであることを特徴とする手段１７に記載の遊技盤梱包システム。
手段１８によれば、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかの熱可塑性樹脂からなる安価な熱可塑性シートを用いて梱包箱を被包し、熱処理によって容易に収縮させ、且つ常温で冷却して硬化させることができる。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
本発明の遊技盤梱包方法によれば、収容工程で一又は複数の遊技盤を未封緘の梱包箱（例えば、段ボール箱）に収容し、印刷工程で梱包箱に遊技盤の発送に関する発送情報を印刷し、封緘工程で遊技盤が収容された梱包箱の蓋を封緘し、被包工程で遊技盤が収容され且つ封緘された梱包箱の外周の少なくとも一部を梱包箱の発送情報印刷面を覆うように熱可塑性シートで被包し、熱処理工程で梱包箱を被包する熱可塑性シートに熱処理を施すので、熱可塑性シートが熱収縮して梱包箱に密着する。熱処理の終了後、熱可塑性シートが常温で冷却されて硬化するので、熱可塑性シートが梱包箱に強固に密着する状態が保たれる。
そして、本発明の方法により梱包された遊技盤を収容する梱包箱は、熱可塑性シートによって密着状に包まれているため、不正改造の発見がより確実であると共に、不正改造の未然防止を図ることができる。すなわち、メイン基板等の遊技盤の制御を行う部分に不正改造を行うためには、まず熱可塑性シートを切断・開封し、さらに梱包箱を開封する必要がある。このため、不正な改造が行われた場合には、梱包箱を被包する熱可塑性シートが開封されていることから、不正改造を確実に感知することができる。また、熱可塑性シートを一旦、切断・開封してから使用済みの熱可塑性シートを用いて梱包箱を元通りの状態となるように被包することは極めて困難であり、不正改造を試みようとする者の意欲を減退させて、不正改造を未然に防止する効果が発揮されることも期待される。また、印刷工程で梱包箱に印刷された発送情報を視認して保管・出荷作業を行うことができる。特に、被包工程において梱包箱の発送情報印刷面を覆うように熱収縮性シートで梱包箱を被包するので、梱包箱の発送情報印刷面が熱可塑性シートによって覆われることによって保護され、発送情報の印刷が薄くなったり消えたりすることを防止することができる。
【手続補正２６】
【補正対象書類名】明細書
【補正対象項目名】００２８
【補正方法】変更
【補正の内容】
【００２８】
また、本発明の遊技盤梱包システムによれば、印刷装置は、梱包箱に遊技盤の発送に関する発送情報を印刷し、被包装置は、遊技盤が収容され且つ蓋が封緘された梱包箱の外周の少なくとも一部を梱包箱の発送情報印刷面を覆うように熱可塑性シートで被包し、熱処理装置は、梱包箱を被包する熱可塑性シートに熱処理を施すので、熱可塑性シートが熱収縮して梱包箱に密着する。熱処理の終了後、熱可塑性シートが常温で冷却されて硬化するので、熱可塑性シートが梱包箱に強固に密着する状態が保たれる。
そして、本発明の遊技盤梱包システムによって梱包された遊技盤を収容する梱包箱は、上述した梱包方法で梱包された梱包箱と同様の種々の効果を奏する。